(57)【要約】【課題】落下などで衝撃を受けても駆動用ＩＣの割れを防止することができる電気光学装置を提供する。【解決手段】電気光学物質１２を挟持して互いに対向する一対の基板１３，１４を有し、これら一対の基板の一方の基板１４の一辺から他方の基板が張り出した張り出し領域１６には、一辺に概ね沿った長辺を有する駆動用ＩＣ１７が実装された電気光学パネル８と、この電気光学パネル８を収容する筐体１１とを備えた電気光学装置５である。電気光学パネル８を収容する筐体１１は、底面部１１ａと電気光学パネル８を厚み方向で囲う側壁部１１ｂとを備えており、張り出し領域１６の一辺に沿った辺側に、側壁部１１ｂの端部１１ｃが筐体１１の内方に向けて折り曲げられている。【選択図】図３
2009258199.tif 000002
【特許請求の範囲】
【請求項１】
電気光学物質を挟持して互いに対向する一対の基板を有し、該一対の基板の一方の基板の一辺から他方の基板が張り出した張り出し領域には、前記一辺に概ね沿った長辺を有する駆動用ＩＣが実装された電気光学パネルと、該電気光学パネルを収容する筐体とを備えた電気光学装置において、
前記電気光学パネルを収容する前記筐体は、底面部と前記電気光学パネルを厚み方向で囲う側壁部とを備えており、前記駆動用ＩＣが実装された前記張り出し領域の前記一辺に沿った辺側において、前記筐体の側壁部の端部が該筐体の内方に向けて折り曲げられていることを特徴とする電気光学装置。
【請求項２】
前記折り曲げられた部分は、前記駆動用ＩＣの長辺方向に長辺部を有するように前記筐体の内方に向けて折り曲げられていることを特徴とする請求項１記載の電気光学装置。
【請求項３】
前記筐体の内方に向けて折り曲げられた部分は、前記筐体の側壁部から概ね直交して折り曲げられていることを特徴とする請求項１又は２に記載の電気光学装置。
【請求項４】
前記張り出し領域の前記端部には、外部から信号又は電圧が供給される端子群が前記一辺に沿って配列して設けられており、該端子群にはフレキシブルプリント基板が実装されているとともに該フレキシブルプリント基板は前記電気光学パネルの背面側に折り曲げられており、前記筐体の側壁部及び内方に向けて折り曲げられた部分によって、前記フレキシブルプリント基板の折り曲げられた屈曲部を覆っていることを特徴とする請求項１乃至３のいずれか一項に記載の電気光学装置。
【請求項５】
前記張り出し領域の前記端部には、外部から信号又は電圧が供給される端子群が辺に沿って配列して設けられており、前記筐体の内方に向けて折り曲げられた部分は、前記駆動用ＩＣが実装された前記張り出し領域の前記一辺に沿った辺側において選択的に設けられているとともに、前記端子群を挟む両側に設けられていることを特徴とする請求項１乃至３のいずれか一項に記載の電気光学装置。
【請求項６】
前記他方の基板の前記張り出し領域側の前記側壁部と対向する側の前記筐体の側壁部の端部も、該筐体の内方に向けて折り曲げられていることを特徴とする請求項１乃至５のいずれか１項に記載の電気光学装置。
【請求項７】
前記電気光学パネルは液晶パネルであって、前記筐体の中には、前記液晶パネルと、該液晶パネルの背面に配置された導光板と、前記液晶パネルと前記導光板とを支持する支持枠体と、が収容されており、
前記支持枠体は、前記液晶パネルの前記張り出し領域の少なくとも一部を支持しているとともに、前記駆動用ＩＣの前記長辺の方向に前記液晶パネルの前記張り出し領域からはみ出した突出部を有しており、前記筐体の内方に向けて折り曲げられている部分は、該突出部の少なくとも一部を覆うように配置されていることを特徴とする請求項１乃至６のいずれか１項に記載の電気光学装置。
【請求項８】
請求項１乃至７の何れか１項に記載の電気光学装置を備えていることを特徴とする電子機器。
【発明の詳細な説明】
【技術分野】
【０００１】
本発明は、電気光学装置及び電子機器に関する。
【背景技術】
【０００２】
近年、ナビゲーションシステム、テレビ、パームトップコンピュータ、電子手帳、携帯電話機等といった各種の携帯式電子機器では、可視情報を表示するために液晶表示装置（電気光学装置）が広く用いられている。この液晶表示装置を製造する際に、液晶駆動用ＩＣを実装する方式として、液晶層を挟んで対向する一対のガラス基板の一方に半導体素子を直接に接合する実装方式、いわゆるＣＯＧ（Chip  On  Glass）型液晶表示装置が知られている。このＣＯＧ型液晶表示装置は、液晶層を挟んで対向する２枚のガラス基板の一方に、他方に対して外周側に張り出す張出部が設けられており、この張出部に設けた配線パターンに液晶駆動用ＩＣが実装されている。
【０００３】
ＣＯＧ型を用いることにより、液晶表示装置の薄型化、軽量化、接続ピッチの高精細化等が期待されている（例えば、特許文献１参照）。
【特許文献１】特開２００１−１７４８４６号公報
【発明の開示】
【発明が解決しようとする課題】
【０００４】
ところで、ＣＯＧ型液晶表示装置を備えた携帯電子機器は、落下などで衝撃を受ける際に張出部が撓みやすく、この張出部の撓みによって実装されている液晶駆動用ＩＣが割れるやすい。
特許文献１の装置は、箱型のケース内に液晶表示装置が収納されているが、前記ケースは衝撃の際に液晶表示装置の張出部の変形を防止する剛性を有していない。
【０００５】
本発明は、上記従来例の未解決の課題に着目してなされたものであり、落下などで衝撃を受けても駆動用ＩＣの割れを防止することができる電気光学装置を提供するとともに、衝撃による信頼性が高い電子機器を提供することを目的としている。
【課題を解決するための手段】
【０００６】
上記目的を達成するために、本発明の電気光学装置は、電気光学物質を挟持して互いに対向する一対の基板を有し、該一対の基板の一方の基板の一辺から他方の基板が張り出した張り出し領域には、前記一辺に概ね沿った長辺を有する駆動用ＩＣが実装された電気光学パネルと、該電気光学パネルを収容する筐体とを備えた電気光学装置において、前記電気光学パネルを収容する前記筐体は、底面部と前記電気光学パネルを厚み方向で囲う側壁部とを備えており、前記駆動用ＩＣが実装された前記張り出し領域の前記一辺に沿った辺側において、前記筐体の側壁部の端部が該筐体の内方に向けて折り曲げられている。
【０００７】
このような構成とすると、筐体の電気光学パネルを厚み方向で囲う側壁部が、駆動用ＩＣが実装された前記張り出し領域の前記一辺に沿った辺側において前記筐体の側壁部の端部が筐体の内方に向けて折り曲げられていることから、落下などで衝撃を受けても、駆動用ＩＣの長辺側に沿う方向の筐体の剛性が高くなる。したがって、衝撃を受けても、筐体は、駆動用ＩＣの長辺側に沿う方向に撓まないので、電気光学パネルに実装されている駆動用ＩＣの割れを防止することができる。
【０００８】
また、本発明の電気光学装置は、前記折り曲げられた部分が、前記駆動用ＩＣの長辺方向に長辺部を有するように前記筐体の内方に向けて折り曲げられていることが好ましい。このような構成にすると、駆動用ＩＣの割れが発生しやすい長手方向の筐体の剛性が高められているので、さらに駆動用ＩＣの割れを防止することができる。
また、本発明の電気光学装置は、前記筐体の内方に向けて折り曲げられた部分が、前記筐体の側壁部から概ね直交して折り曲げられていることが好ましい。このような構成にすると、筐体の側壁部の剛性を高めることができる。
【０００９】
また、本発明の電気光学装置は、前記張り出し領域の前記端部には、外部から信号又は電圧が供給される端子群が前記一辺に沿って配列して設けられており、該端子群にはフレキシブルプリント基板が実装されているとともに該フレキシブルプリント基板は前記電気光学パネルの背面側に折り曲げられており、前記筐体の側壁部及び内方に向けて折り曲げられた部分によって、前記フレキシブルプリント基板の折り曲げられた屈曲部を覆っていることが好ましい。このような構成にすると、落下等の衝撃に対して、筐体の側壁部及び内方に向けて折り曲げられた部分が、フレキシブルプリント基板の折り曲げられた屈曲部を保護することができる。
【００１０】
また、本発明の電気光学装置は、前記張り出し領域の前記端部には、外部から信号又は電圧が供給される端子群が辺に沿って配列して設けられており、前記筐体の内方に向けて折り曲げられた部分は、前記駆動用ＩＣが実装された前記張り出し領域の前記一辺に沿った辺側において選択的に設けられているとともに、前記端子群を挟む両側に設けられていることが好ましい。このような構成にすると、駆動用ＩＣが実装された張り出し領域の一辺に沿った辺側において選択的に設けられ、端子群を挟む両側に設けられていることから、さらに筐体の側壁部の剛性を高めて、駆動用ＩＣの割れを防止することができる。
【００１１】
また、本発明の電気光学装置は、前記他方の基板の前記張り出し領域側の前記側壁部と対向する側の前記筐体の側壁部の端部も、筐体の内方に向けて折り曲げられていることが好ましい。このような構成にすると、さらに筐体の側壁部の剛性を高めて駆動用ＩＣの割れ防止を図ることができる。
また、本発明の電気光学装置は、前記電気光学パネルは液晶パネルであって、前記筐体の中には、前記液晶パネルと、該液晶パネルの背面に配置された導光板と、前記液晶パネルと前記導光板とを支持する支持枠体とが収容されており、前記支持枠体は、前記液晶パネルの前記張り出し領域の少なくとも一部を支持しているとともに、前記駆動用ＩＣの前記長辺の方向に前記液晶パネルの前記張り出し領域からはみ出した突出部を有しており、前記筐体の内方に向けて折り曲げられている部分は、該突出部の少なくとも一部を覆うように配置されていることが好ましい。このような構成にすると、支持枠体の液晶パネルの張り出し領域からはみ出した突出部が、筐体の内方に向けて折り曲げられている部分に覆われているので、支持枠体による液晶パネル及び導光板の支持を確実に行うことができる。
【００１２】
一方、本発明の電子機器は、上述した電気光学装置を備えたことで、衝撃による信頼性が高い機器を提供することができる。
【発明を実施するための最良の形態】
【００１３】
以下、本発明を実施するための最良の形態（以下、実施形態という。）を、図面を参照しながら詳細に説明する。
（第１実施形態）
図１から図４は、本発明に係る携帯電話機の第１実施形態を示すものであり、図１は携帯電話機の要部平面図、図２は携帯電話機に内蔵されている第１実施形態のＬＣＤユニットを示す平面図、図３は第１実施形態のＬＣＤユニットを示す要部斜視図、図４（ａ）は図２のＡ−Ａ´線矢視図、図４（ｂ）は図２のＢ−Ｂ´線矢視図である。
【００１４】
図１に示すように、本実施形態の携帯電話機１は、第１ケース２と、第１ケース２の長手方向端部にヒンジ結合されている第２ケース３と、第１ケース２に設けた保護窓４と、保護窓４の内側に内蔵されているＬＣＤユニット５と、第２ケース３に設けられている操作部６と、第１ケース２の上端部に設けた受話部７とを備えている。そして、図１では省略しているが、第２ケース３には、人が指で押して情報を入力するための操作キーが設けられている。
【００１５】
保護窓４は、プラスチック等の透明部材であり、第１ケース２内に配設したＬＣＤユニット５の表示面を透過して視認可能とするとともに、ＬＣＤユニット５に外圧等が加わるのを防ぐ機能を有する。
ＬＣＤユニット５は、図４に示すように、液晶パネル８と、この液晶パネル８の背面に配設したバックライト９と、液晶パネル８及びバックライト９の周囲を囲んで支持している支持枠体１０と、支持枠体１０とともに液晶パネル８及びバックライト９を収容している底板（底面部）１１ａを有した箱形状の筐体１１と、一端側が液晶パネル８の張出部（張り出し領域）１６に実装されて端子群１９に電気的に接続し、他端側が第２ケース３の操作部に電気的に接続しているフレキシブル基板１８とを備えている。フレキシブル基板１８には、コンデンサ（不図示）やＬＥＤ等のチップ部品が実装されており、一端側が液晶パネル８の端子群１９に接続された後、光源となるＬＥＤチップが導光板２０の端部の側面に配置されるように背面側に折り曲げられている。従って、フレキシブル基板１８に実装されたチップ部品は、導光板２０の端部の側面と支持枠体１０との間に配置されている。
【００１６】
液晶パネル８は、液晶層１２を挟んで対向する前面側基板１３と背面側基板１４とを、それら２枚の基板の周縁部間に枠状に設けたシール材１５によって接着一体化したものである。前面側基板１３は、透明基板である基板本体の液晶層１２側の面に、透明導電材料からなる前面側電極や液晶層の液晶分子の初期配向を規制する配向膜（不図示）等が形成されており、前面側基板１３の液晶層１２側とは反対側の主面（外面）に偏光板２３を貼り付けた構成としている。背面側基板１４は、透明基板である基板本体の液晶層１２側の面に、透明導電材料からなる背面側電極や液晶層の液晶分子の初期配向を規制する配向膜（不図示）等が形成されており、背面側基板１４の液晶層１２側とは反対側の主面（外面）に偏光板２３を貼り付けた構成としている。
【００１７】
背面側基板１４には、前面側基板１３の外周側に張り出した張出部１６が設けられており、この張出部１６の端部（背面側基板１４の短辺側の端部）に沿って端子群１９が形成されている。また、張出部１６には、長手方向を有した直方体形状の液晶駆動用ＩＣ１７が実装されており、液晶駆動用ＩＣ１７の長手方向が張出部１６の端部（背面側基板１４の短辺側の端部）に沿って配置されている。そして、前面側基板１３の前面側電極及び背面側基板１４の背面側電極は、張出部１６において液晶駆動用ＩＣ１７の電極パッド（バンプ）にそれぞれ電気的に接続されており、液晶駆動用ＩＣ１７は各電極に走査信号やデータ信号といった駆動信号を出力して供給している。一方、張出部１６の端部に沿って設けられた端子群１９は、液晶駆動用ＩＣ１７の電極パッド群（バンプ）に電気的に接続されており、液晶駆動用ＩＣ１７に電源信号や液晶駆動用ＩＣ１７を動作させるための駆動（ロジック）信号が供給され入力される。ここで、液晶駆動用ＩＣ１７は、図２に示すように、張出部１６（背面側基板）の短尺方向の略中央に配置されている。この液晶駆動用ＩＣ１７は、張出部１６に貼設した遮光テープ２４で覆われている。
【００１８】
バックライト９は、導光板２０と、導光板２０の背面に一体化した反射板２１と、ＬＥＤチップ等の発光素子を備えた光源２２とを備えている。バックライト９は、光源２２から射出された光を導光板２０の側面から内部に導き、反射板２１の作用により液晶パネル８側へ射出することで、液晶パネル８の照明装置として機能するようになっている。
フレキシブル基板１８は、端部が張出部１６において端子群１９と電気的に接続されるとともに液晶パネル８の背面側に折り曲げられた屈曲部１８ｂと、導光板２０の端部に対応した位置に光源２２（及びコンデンサ等のチップ部品）を搭載した基板一端部１８ａと、この基板一端部１８ａから分岐して背面側基板１４の張出部１６の側端部を囲むように液晶パネル８の背面側から前面側に向けて半円弧状に折り曲げられている屈曲部１８ｄと、屈曲部１８ｄに連結されて張出部１６（液晶駆動用ＩＣ）上に配置されるとともに、遮光膜２４の液晶駆動用ＩＣ側と反対側の表面で該遮光膜２４と当接して接着された基板他端部１８ｃとを備えている。基板一端部１８ａの導光板２０側の端部は、導光板２０の端部の背面で当接して配置されている。そして、基板他端部１８ｃは、図３に示すように、外部と接続して上述した電源信号や液晶駆動用ＩＣ１７を動作させるための駆動（ロジック）信号や光源用の電源を受けるために第２ケース３側に延在し、第２ケース３の操作部（不図示）に電気的に接続されている。
【００１９】
一方、筐体１１は、ステンレス板等の剛性の高い金属板を折り曲げ成形した部材であり、図３に示すように、張出部１６を有する側の辺とこれに対向する辺の両辺側（液晶駆動用ＩＣ１７の長手方向に沿った辺側）に対応した矩形状の底板１１ａの縁部から一体に立ち上がり支持枠体１０の側面を覆うように該支持枠体１０の厚み方向に折り曲げられた一対の側板１１ｂと、張出部１６を有する辺側に対応した側板１１ｂの上端から内方（張出部１６の液晶駆動用ＩＣ１７の長手方向に沿った辺側）に向けて略直角に折り曲げられた一対の補強部１１ｃとを備えている。
【００２０】
そして、一対の補強部１１ｃは、背面側基板１４の張出部１６の端部を囲むように半円弧状に折り曲げられているフレキシブル基板１８の屈曲部１８ｂの両側を、短尺方向から挟み込むように配置されている。また、フレキシブル基板１８の両側に配置された一対の補強部１１ｃのそれぞれは、液晶駆動用ＩＣ１７の長手方向に沿った長辺を有するように折り曲げられている。
【００２１】
なお、筐体１１内に収容されている液晶パネル８は、背面側基板１４の張出部１６が一方の側板１１ｂ側に近接し、張出部１６に実装されている液晶駆動用ＩＣ１７は、その長手方向が一方の側板１１ｂに沿って配置されている。
支持枠体１０は、重なり合って配置した液晶パネル８及びバックライト９の周囲を囲って支持する合成樹脂等で形成した枠体である。この支持枠体１０は、図４（ｂ）に示すように、背面側基板１４の張出部１６の端部の下面を保持するとともに、筐体１１の一方の側板１１ｂと張出部１６の端部との間において、背面側基板１４の厚み方向で該背面側基板１４のフレキシブル基板及び液晶駆動用ＩＣが実装される表面よりも高い表面を有して突出した膨出部１０ａが設けられており、一方の側板１１ｂ及び補強部１１ｃが膨出部１０ａを覆い、且つ、補強部１１ｃが膨出部１０ａの上端面に当接して固定されている。
【００２２】
上記構成の携帯電話機１によると、ＬＣＤユニット５を構成する筐体１１は、矩形状の底板１１ａの短辺側の縁部から一体に立ち上がる一方の側板１１ｂと、この側板１１ｂの長手方向の両端側に一体形成され、側板１１ｂの上端から内方に向けて延在している一対の補強部１１ｃとを備えているので、筐体１１を短辺側に撓ませようとする外力が作用しても、その外力に対して一対の補強部１１ｃが反力を発揮する。
【００２３】
また、ＬＣＤユニット５内には、液晶パネル８の張出部１６に実装した直方体形状の液晶駆動用ＩＣ１７が、筐体１１の側板１１ｂに沿うように、即ち、長手方向が筐体１１の短辺側に沿うように配置されている。
ここで、例えば誤って携帯電話機１を落下してしまい、その衝撃が第１ケース２内のＬＣＤユニット５に入力しても、筐体１１は短辺側には容易に撓まない。
【００２４】
このように、衝撃が入力しても筐体１１が短辺側に容易に撓まないことから、筐体１１内で収容されている液晶パネル８の張出部１６も短辺側の撓みが防止され、張出部１６の短辺側に長手方向が延在している液晶駆動用ＩＣ１７の割れを防止することができる。
また、筐体１１の一対の補強部１１ｃは、液晶駆動用ＩＣ１７の長手方向に長尺方向が延在するよう（長手方向に沿った長辺を有するよう）に内方に向けて延在しているので、筐体１１を短辺側に撓ませようとする外力に対して反力が増大する。
【００２５】
また、筐体１１の一対の補強部１１ｃは、一方の側板１１ｂの上端から概ね直交して内方に折り曲げられているので、筐体１１を短辺側に撓ませようとする外力に対して、筐体１１の短辺側の撓み剛性を高くすることができる。
また、筐体１１の一対の補強部１１ｃは、フレキシブル基板１８の屈曲部１８ｂを短尺方向から挟み込むように配置されていることから、筐体１１の短辺側の撓み剛性をさらに高くすることができる。
【００２６】
また、液晶パネル８及びバックライト９の周囲を囲って支持している支持枠体１０は、背面側基板１４の張出部１６と筐体１１の一方の側板１１ｂとの間に入り込む膨出部１０ａが設けられているが、この膨出部１０ａも、撓み剛性が高い側板１１ｂに覆われているので、支持枠体１０による液晶パネル８及びバックライト９の支持を確実に行うことができる。
さらに、上記構成のＬＣＤユニット５を内蔵した携帯電話機１は、衝撃による信頼性が高い電子機器として提供することができる。
【００２７】
（第２実施形態）
次に、図５から図７は、携帯電話機１に内蔵されている第２実施形態のＬＣＤユニットを示すものであり、図５は第２実施形態のＬＣＤユニットを示す平面図、図６は第２実施形態のＬＣＤユニットを示す要部斜視図、図７（ａ）は図５のＡ−Ａ´線矢視図、図７（ｂ）は図５のＢ−Ｂ´線矢視図である。なお、図１から図４で示した第１実施形態と同一構成部分には、同一符号を付して説明を省略する。
【００２８】
本実施形態は、筐体１１の側板１１ｂの上端から内方（張出部１６の液晶駆動用ＩＣ１７の長手方向に沿った辺側）に向けて略直角に折り曲げられた補強部１１ｄが、長手方向に沿った辺側に連続して形成され、液晶駆動用ＩＣ１７の長辺よりも長く形成されている。
また、補強部１１ｄは、背面側基板１４の張出部１６の端部を囲むように半円弧状に折り曲げられたフレキシブル基板１８の屈曲部１８ｂを覆った状態で配置されている。
【００２９】
上記構成のＬＣＤユニット５を備えた携帯電話機１によると、ＬＣＤユニット５を構成する筐体１１は、矩形状の底板１１ａの短辺側の縁部から一体に立ち上がる一方の側板１１ｂと、この側板１１ｂの上端から長手方向に連続して補強部１１ｄが一体に形成されているので、筐体１１を短辺側に撓ませようとする外力に対して補強部１１ｄが大きな反力を発揮する。
【００３０】
そして、例えば誤って携帯電話機１を落下してしまい、その衝撃が第１ケース２内のＬＣＤユニット５に入力しても、筐体１１を短辺側に撓ませようとする外力に対して大きな反力が発生する本実施形態の筐体１１は短辺側に容易に撓まない。
つまり、本実施形態においては、張出部１６の液晶駆動用ＩＣ１７の長辺方向に沿った辺側において、筐体１１の補強部１１ｄが液晶駆動用ＩＣ１７の長辺を含んだ辺側の位置で、且つ、液晶駆動用ＩＣ１７の長辺よりも長く形成されているので、液晶駆動用ＩＣ１７に加わる衝撃及び撓みがより強く抑えられ、液晶駆動用ＩＣ１７の割れを防止することができる。
【００３１】
また、一方の側板１１ｂ及びこの側板１１ｂの上端から長手方向に連続して一体形成された補強部１１ｄが、フレキシブル基板１８の屈曲部１８ｂを覆った状態で配置されているので、屈曲部１８ｂを保護する機能を発揮することができる。
また、支持枠体１０の膨出部１０ａは、一方の側板１１ｂ及びこの側板１１ｂの上端から長手方向に連続して一体形成された補強部１１ｄに覆われているので、支持枠体１０による液晶パネル８及びバックライト９の支持を確実に行うことができる。
【００３２】
（第３実施形態）
次に、図８及び図９は、携帯電話機１に内蔵されている第３実施形態のＬＣＤユニットを示すものであり、図８は第２実施形態のＬＣＤユニットを示す平面図、図９（ａ）は図８のＡ−Ａ´線矢視図、図９（ｂ）は図８のＢ−Ｂ´線矢視図、図９（ｃ）は図８のＣ−Ｃ´線矢視図である。
【００３３】
本実施形態は、筐体１１の側板１１ｂの上端から内方（張出部１６の液晶駆動用ＩＣ１７の長手方向に沿った辺側）に向けて略直角に折り曲げられた補強部１１ｅが、長手方向に沿った辺側に連続して形成され、液晶駆動用ＩＣ１７の長辺よりも長く形成されている。この補強部１１ｅは、図９（ａ），（ｂ）で示すように、液晶パネル８の張出部１６に平面視で重なるように内方（長辺側）に向けて略直交して延在している。
【００３４】
また、一方の側板１１ｂに対して長辺側で対向する他方の側板１１ｂの上端にも、長手方向に連続する補強部１１ｆが内方（液晶パネル８の端部）に向けて略直交して一体に形成されている。つまり、背面側基板１４の液晶駆動用ＩＣ１７の長辺方向に沿った張出部１６の辺と対向した辺側にも補強部１１ｆが設けられている。
支持枠体１０は、図９（ｃ）に示すように、筐体１１の他方の側板１１ｂに隣接する位置に、他方の側板１１ｂと、液晶パネル８及びバックライト９の周囲との間に入り込む膨出部１０ａが設けられている。そして、他方の側板１１ｂ及び補強部１１ｆが膨出部１０ａを覆い、且つ、補強部１１ｆが膨出部１０ａの上端面に当接している。
【００３５】
この支持枠体１０は、図９（ｃ）に示すように、背面側基板１４の端部の下面を保持するとともに、筐体１１の他方の側板１１ｂと背面側基板１４の端部との間において、背面側基板１４の厚み方向で該背面側基板１４の底面１１ａからの高さよりも高い表面を有して突出した膨出部１０ａが設けられており、他方の側板１１ｂ及び補強部１１ｆが膨出部１０ａを覆い、且つ、補強部１１ｆが膨出部１０ａの上端面に当接して固定されている。
【００３６】
上記構成のＬＣＤユニット５を備えた携帯電話機１によると、ＬＣＤユニット５を構成する筐体１１は、矩形状の底板１１ａの短辺側の縁部から一体に立ち上がる一方の側板１１ｂの上端から長手方向に連続して補強部１１ｄが一体に形成され、他方の側板１１ｂの上端から長手方向に連続して補強部１１ｆが一体に形成されているので、筐体１１を短辺側に撓ませようとする外力に対して補強部１１ｄ，１１ｆがさらに大きな反力を発揮する。
したがって、本実施形態は、衝撃が入力しても筐体１１の短辺側の撓み剛性がさらに高くなることから、筐体１１内で収容されている液晶パネル８の張出部１６も短辺側の撓みが防止され、張出部１６の短辺側に長手方向が延在している液晶駆動用ＩＣ１７の割れを防止することができる。
【００３７】
つまり、本実施形態においては、背面側基板１４の液晶駆動用ＩＣ１７の長辺方向に沿った張出部１６の辺側、及びこれと対向した辺側の両方に対応した筐体１１の補強部１１ｅ，１１ｆを備えているので、背面側基板１４の液晶駆動用ＩＣ１７の長辺方向に沿った２つの辺それぞれにおいて、液晶駆動用ＩＣ１７の長辺方向に沿った方向の基板の撓みがより強く抑えられるので、液晶駆動用ＩＣ１７の割れを確実に防止することができる。
また、筐体１１の一方の側板１１ｂの上端から長手方向に連続して一体形成された補強部１１ｅは、液晶パネル８の張出部１６に平面視で重なるように内方（長辺側）に向けて延在しているので、フレキシブル基板１８の屈曲部１８ｂを保護機能を高めることができる。
【００３８】
また、支持枠体１０の長手方向に両側に２箇所の膨出部１０ａが設けられている、これら膨出部１０ａが、一方の側板１１ｂ及びこの側板１１ｂの上端から長手方向に連続して一体形成された補強部１１ｄと、他方の側板１１ｂ及びこの側板１１ｂの上端から長手方向に連続して一体形成された補強部１１ｅとに覆われているので、支持枠体１０による液晶パネル８及びバックライト９の支持を、さらに確実に行うことができる。
【００３９】
なお、本発明の電子機器は、上述した携帯電話機１に限らず、種々の電子機器に搭載することができる。例えば、ナビゲーションシステム、テレビ、パームトップコンピュータ、電子手帳等といった各種の機器に採用することができる。
【図面の簡単な説明】
【００４０】
【図１】本発明に係る電子機器の要部平面図である。
【図２】本発明に係る電子機器に内蔵されている第１実施形態の電気光学装置を示す平面図である。
【図３】第１実施形態の電気光学装置の要部を示す斜視図である。
【図４】図４（ａ）は図２のＡ−Ａ´線矢視断面図であり、図４（ｂ）は図２のＢ−Ｂ´線矢視断面図である。
【図５】本発明に係る電子機器に内蔵されている第２実施形態の電気光学装置を示す平面図である。
【図６】第２実施形態の電気光学装置の要部を示す斜視図である。
【図７】図７（ａ）は図５のＡ−Ａ´線矢視断面図であり、図７（ｂ）は図５のＢ−Ｂ´線矢視断面図である。
【図８】本発明に係る電子機器に内蔵されている第３実施形態の電気光学装置を示す平面図である。
【図９】図９（ａ）は図８のＡ−Ａ´線矢視断面図であり、図９（ｂ）は図８のＢ−Ｂ´線矢視断面図であり、図９（ｃ）は図８のＣ−Ｃ´線矢視断面図である。
【符号の説明】
【００４１】
１…携帯電話機、２…第１ケース、３…第２ケース、４…保護窓、５…ＬＣＤユニット（電気光学装置）、６…操作部、７…受話部、８…液晶パネル（電気光学パネル）、９…バックライト、１０…支持枠体、１０ａ…膨出部（突出部）、１１…筐体、１１ａ…底板（底面部）、１１ｂ…側板（側壁部）、１１ｃ，１１ｄ，１１ｅ，１１ｆ…補強部（折り曲げられた部分）、１２…液晶層（電気光学物質）、１３…前面側基板（基板）、１４…背面側基板（基板）、１５…シール材、１６…張出部（張り出し領域）、１７…液晶駆動用ＩＣ（駆動用ＩＣ）、１８…フレキシブル基板、１８ａ…基板一端部、１８ｂ…屈曲部、１８ｃ…基板他端部、１８ｄ…屈曲部、１９…端子群、２０…導光板、２１…反射板、２２…光源（ＬＥＤ）、２３…偏光板、２４…遮光テープ
【図１】
2009258199.tif 000003
【図２】
2009258199.tif 000004
【図３】
2009258199.tif 000005
【図４】
2009258199.tif 000006
【図５】
2009258199.tif 000007
【図６】
2009258199.tif 000008
【図７】
2009258199.tif 000009
【図８】
2009258199.tif 000010
【図９】
2009258199.tif 000011